(57)【要約】【課題】  異形ナットと異形ナットを備えた締め金具と、その締め金具を用いた締付け装置の提供。【解決手段】  ボルトに螺合させるナットを、座金から軸方向に距離をおいて位置し、多角形外周面を有する第１部分と、この第１部分と座金との間に位置し、前記第１部分の横断面寸法よりも小さい横断面寸法を持つ第２部分とで構成し、保持素子を座金に係合させて座金を非回転に保持し、駆動素子をナットの多角形外表面に係合させてナットを回転させる。【選択図】      図５
2004211887.tif 000002
【特許請求の範囲】
【請求項１】
対象物に差し込まれたボルトと、そのボルトに螺合するナットと、ボルトが貫通してナットと対象物との間に介在する多角形外周面を備えた座金とで構成され、前記ナットが座金に関して非回転であるが、軸方向には移動できるタイプの締め金具で使用されるナットにおいて、そのナットが、前記座金から軸方向に距離をおいた多角形外周面を備えた第１部分と、当該第１部分と前記座金との間に介在し、前記第１部分の多角形外周面の横断面積より小さい横断面積を有する第２部分とを備えていることを特徴とする異形ナット。
【請求項２】
前記異形ナットの第２部分の断面が、円形である請求項１記載の異形ナット。
【請求項３】
ボルトと、そのボルトに螺合するナットと、ボルトが差し込まれた対象物とナットの間に介在し、ボルトが貫通する座金とで構成され、前記ナットが座金に関して非回転であるが、軸方向には移動できるタイプの締め金具において、前記のナットが前記座金から軸方向に距離をおいた第１部分と、この第１部分と前記座金との間に介在する第２部分とで構成され、ナットの第１部分が多角形外周面を持ち、ナットの第２部分が前記第１部分の多角形外周面の横断面積より小さい横断面積を持っていることを特徴とする前記の締め金具。
【請求項４】
前記ナットの第２部分の断面が、円形である請求項３記載の締め金具。
【請求項５】
ボルトと、そのボルトに螺合するナットと、ボルトが差し込まれた対象物とナットの間に介在し、ボルトが貫通する座金と、当該座金に係合してこれを非回転に保持する保持素子並びに前記ナットの多角形外周面に係合してこれを回転させる駆動素子を備えた緊締手段とを具備した締付け装置において、前記ナットは座金に関して非回転で軸方向に移動可能であって、しかも、そのナットは前記座金から軸方向に距離をおいた第１部分と、この第１部分と前記座金との間に介在する第２部分とからなり、ナットの第１部分は多角形外周面を備え、ナットの第２部分は前記第１部分の多角形外周面の横断面積より小さい横断面積を持っていることを特徴とする前記の締付け装置。
【請求項６】
前記ナットの第２部分の断面が、円形である請求項５記載の締付け装置。
【請求項７】
前記緊締手段が備える保持素子の保持部分の軸方向高さが、前記ナットの第２部分の軸方向高さを下回る請求項５記載の締付け装置。
【発明の詳細な説明】
【技術分野】
【０００１】
本発明は、異形ナットと、異形ナットを備えた締め金具と、締め金具の締付け装置に関する。
【背景技術】
【０００２】
締め金具を緊締するに際して、締付け装置又は締付け工具の回転素子が、ナットに係合してこれを回転させ、その間、当該装置又は工具の保持素子が、ボルトに通された座金に係合してその回転を阻止するタイプの緊締工具ないしは締付け装置は、例えば、合衆国特許出願１０／０１０，３７７号及び同１０／１２０，３４３号に記載されている。しかし、このような締付け装置又は工具には、常用の六角ナットを使用することができない。何故なら、上記の締付け装置又は工具にあっては、その回転素子がインナソケットとして、また、保持素子がアウタソケットとしてそれぞれ形成されているため、常用の六角ナットにインナソケットを、同寸法の座金にアウタソケットをそれぞれ係合させることができないからである。ナットの六角外周が座金の六角外周と一列に並ぶことはないので、ナットの径が小さい時には、工具のアウタソケットは機能しない。座金の六角外周の横断面を増大させると、工具のアウタソケットとして形成された保持素子の半径をも増大させなければならないので、座金の六角外周を拡大させることは好ましくない。
【発明の開示】
【発明が解決しようとする課題】
【０００３】
本発明の目的のひとつは、従来技術の不利益を回避できる異形ナットと、異形ナットを備えた締め金具と、締め金具の締付け装置を提供することにある。
【課題を解決するための手段】
【０００４】
上記の目的並びにこれ以降の記述から明らかになる目的を達成するために、本発明は、次のような異形又は変形ナットを提供する。
すなわち、本発明に係る異形ナットは、対象物に差し込まれたボルトと、そのボルトに螺合するナットと、ナットと対象物との間に介在して多角形外周面を備えた座金とで構成され、前記ナットが座金に関して非回転であり、軸方向には移動できるタイプの締め金具で使用されるナットであって、そのナットが、前記座金から軸方向に距離をおいた多角形外周面を備えた第１部分と、当該第１部分と前記座金との間に介在し、前記第１部分の多角形外周面の横断面積より小さい横断面積を有する第２部分とで構成されていることを特徴とする。
【０００５】
本発明はまた、ナットとボルトと座金からなる締め金具を提供するものでもあり、その締め金具は、ボルトと、そのボルトに螺合するナットと、ボルトが差し込まれた対象物とナットの間に介在するボルトに挿入された座金とで構成され、前記ナットが座金に関して非回転で、軸方向には移動できるタイプの締め金具において、ナットが座金から軸方向に距離をおいた（軸方向に離れた）第１部分と、この第１部分と前記座金との間に介在する第２部分とを備え、ナットの第１部分が多角形外周面を持ち、ナットの第２部分が前記第１部分の多角形外周面の横断面積より小さい横断面積を持っていることを特徴とする。
【０００６】
本発明はさらに、上記締め金具と緊締手段とで構成される締付け装置を提供するものでもあって、その締付け装置は、ボルトと、そのボルトに螺合するナットと、ボルトが差し込まれた対象物とナットの間に介在するボルトに挿入された座金と、当該座金に係合してこれを非回転に保持する把持要素、並びに前記ナットの多角形外周面に係合してこれを回転させる駆動要素を備えた緊締手段を有する締付け装置において、前記ナットは座金に関して非回転で軸方向に移動可能であり、しかも、そのナットは前記座金から軸方向に距離をおいて位置する（軸方向に離れて位置する）第１部分と、この第１部分と前記座金との間に介在する第２部分とからなり、ナットの第１部分は多角形外周面を備え、ナットの第２部分は前記第１部分の多角形外周面の横断面積より小さい横断面積を持っていることを特徴とする。
【０００７】
本発明によれば、標準的な多角形外周を備えたナット、すなわち、六角ナットも、その下方部分の横断面積が、好ましくは円形で、他の部分の横断面積より小さければ、そのナットと同寸法の座金の上に載せて使用することができる。締付け装置の回転素子を構成する多角形ソケットが、半径がより大きい把持要素を形成する別の多角形ソケットの内側でがたがたであり、アウタソケットの高さがナットの第２部分の高さより低ければ、アウタソケットは、まずナットの最初の多角形外周部を跨ぎ、次いで座金の多角形外周面に係合し、インナソケットはナットの多角形外周面に係合する。
【０００８】
本発明の特徴的部分は、特許請求の範囲に記載したとおりである。しかし、本発明の概念、構成並びにその操作方法などは、添付図面と共に以下に示す特定な具体例から、より明確に理解できよう。
【発明を実施するための最良の形態】
【０００９】
図１は、ナット１とボルト２と座金３を備えた公知の締め金具を示す。ナット１は、たとえば６角形ナットのような多角形ナット又はポイントナットとして形成され、このものは外ネジを備えたボルト２に螺合される。座金３は、例えば、合体される２つのパーツで構成される対象物と、ナット１との間に配置され、ボルト２は前記対象物内に差し込まれる。座金３とボルト２との関係は、座金３に関してボルト２は回転できないが、軸方向には動ける関係にある。ちなみに、座金３の内面の一部には、先に記載した特許文献に記載されているように、ボルト２のネジ山と係合できるネジ山が設けられる。
【００１０】
本発明に係る締め金具も、図２に示すように、ナット１′とボルト２と座金３を備えているが、ナット１′は、図１のナットと別の形にある。すなわち、このナット１′は、軸方向に見て座金３から離れた第１ナット部分４と、当該第１部分４と座金４との間に位置する第２ナット部分５とからなる。第１ナット部分４は、例えば、６辺形又は１２辺形のような多角形の外周面を備えている。第２ナット部分５は、第１ナット部分４の横断面寸法より横断面寸法を持つ。好ましくは第２ナット部分５は円筒形である。
【００１１】
図３は、本発明に係る締付け装置を示す。この締付け装置は、図２に示したナット１′とボルト２と座金３で構成される締め金具と締付け手段とからなり、その締付け手段は、外部保持素子６と内部駆動素子７とを含む。内部駆動素子７は、トルク工具８の回転素子、例えば、工具８のラチェット・レバー機構のラチェットに接続可能である。外部保持素子６は、スプラインアダプターを介してトルク工具のハウジングと接続可能であり、この接続によってリアクショントルクが、内部駆動素子７からトルク工具のハウジングに伝達される。外部保持素子６は、符号９で示される保持部分を持ち、当該部分は座金３の多角系外表面と係合できる。保持部分９の軸方向の高さは、第２ナット部分５のそれより低い。第２ナット部分５の横断面寸法、例えばその外径ｄは、外部保持素子６の保持部分９の内部横断面寸法、すなわち、内径Dより小さい。
【００１２】
実施に際しては、例えば、合体される２つのパーツで構成される対象物にボルト２を差し込み、これに座金３を被せてボルト２にナット４を螺合させる。こうして形成された締付け金具に動力工具（トルク工具）をあてがい、内部駆動素子７をナット１′の多角形外周面に、外部保持素子６の保持部分９を座金の六角形外周面にそれぞれ係合させる。そして、外部保持素子６を座金に保持させながら、内部駆動素子７を回転させると、ナット１′は、ボルト２を緊締する。
【００１３】
上記した締め金具及び締付け装置の各要素は、上記したところとは異なるタイプの構造でも利用することができる。
【００１４】
本発明は、その具体例をナット、ナット付き締め金具及びその締付け装置として説明したが、本発明の本質を逸脱しない限り、上記具体例の変更及び構造的改変は可能であるので、当該具体例に本発明は限定されるものではない。
【図面の簡単な説明】
【００１５】
【図１】ボルトとナットの回転を防止するためにボルトに係合させた座金と、ボルトと、ナットからなる公知の締め金具を示す図面である。
【図２】本発明による新しいナットを備えた締め金具を示す図面である。
【図３】本発明による締め金具とその締付け装置を示す図面である。
【図４】本発明に係る締付け装置の保持素子の底面図である。
【図５】ナットと座金がそれぞれ動力工具の駆動手段及び保持手段に係合した締め金具の位置を示す図３と同様な図面である。
【符号の説明】
【００１６】
１，１′：ナット                        ２：ボルト
３：座金                                ４：ナットの第１部分
５：ナットの第２部分                    ６：外部保持素子
７：内部駆動素子                        ８：トルク工具
【図１】
2004211887.tif 000003
【図２】
2004211887.tif 000004
【図３】
2004211887.tif 000005
【図４】
2004211887.tif 000006
【図５】
2004211887.tif 000007